(57)【特許請求の範囲】
【請求項１】
一軸上に設けられた一対の第１及び第２弁座と、該軸上を移動して該第１及び第２弁座を同時に開閉する一対の第１及び第２プラグを有し、第１及び第２弁座の間の出口側空間と出口とを出口に向けて一方向のみに開口した出口開口を通して連通し、第１及び第２弁座の間の出口側空間と出口開口とを隔てる隔壁筒を設け、隔壁筒の上部に総開口面積が第１弁座の開口面積と同等となる連通孔を出口開口と直角方向の両側のみに形成し、隔壁筒の下部に総開口面積が第２弁座の開口面積と同等となる連通孔を出口開口と直角方向の両側のみに形成したことを特徴とする複座弁。
【発明の詳細な説明】
【技術分野】
【０００１】
本発明は、一軸上に設けられた一対の第１及び第２弁座を該軸上を移動する一対の第１及び第２プラグによって開閉する複座弁に関する。複座弁は、第１及び第２プラグのシ―ル径を同一もしくはほぼ同一に形成することにより、流体圧力による開閉弁力を相殺して、小さな駆動力により一対のプラグを操作可能とするものである。
【背景技術】
【０００２】
従来の複座弁は、例えば特許文献１に開示されている。これは、一軸上に設けられた一対の第１及び第２弁座と、該軸上を移動して該第１及び第２弁座を同時に開閉する一対の第１及び第２プラグを有し、第１及び第２弁座の間の出口側空間と出口とを出口に向けて一方向のみに開口した出口開口を通して連通したものにおいて、第１及び第２弁座の間の出口側空間と出口開口とを隔てる隔壁筒を設け、隔壁筒に総開口面積が第１及び第２弁座の開口面積と同等となる連通孔を等間隔に複数個形成したものである。
【先行技術文献】
【特許文献】
【０００３】
【特許文献１】特開２０１０−１６４１３８
【発明の概要】
【発明が解決しようとする課題】
【０００４】
上記従来の複座弁は、第１及び第２弁座の間の出口側空間と出口開口とを隔てる隔壁筒を設け、隔壁筒に総開口面積が第１及び第２弁座の開口面積と同等となる連通孔を等間隔に複数個形成することにより、プラグの傾斜を防止するものであるが、出口開口に対面する流通孔から流体が優先的に流出するためにプラグの傾斜を完全に防止することができず、改善の余地を残すものであった。
【０００５】
したがって本発明が解決しようとする課題は、プラグが傾斜することを防止できる複座弁を提供することである。
【課題を解決するための手段】
【０００６】
上記の課題を解決するために、本発明の複座弁は、一軸上に設けられた一対の第１及び第２弁座と、該軸上を移動して該第１及び第２弁座を同時に開閉する一対の第１及び第２プラグを有し、第１及び第２弁座の間の出口側空間と出口とを出口に向けて一方向のみに開口した出口開口を通して連通し、第１及び第２弁座の間の出口側空間と出口開口とを隔てる隔壁筒を設け、隔壁筒に総開口面積が第１及び第２弁座の開口面積と同等となる連通孔を複数個形成したものにおいて、出口開口と直角方向の両側のみに連通孔を形成したことを特徴とするものである。
【発明の効果】
【０００７】
本発明によれば、隔壁筒に形成する複数個の連通孔を出口開口と直角方向の両側のみに形成したことにより、第１及び第２弁座の間から出口へ向かう流体が隔壁筒内でプラグに均等に作用しながら連通孔を通して出口開口から出口へ流下し、プラグが傾斜することを防止できるという効果を奏する。
【図面の簡単な説明】
【０００８】
【図１】本発明の実施の形態に係わる複座弁を適用したレバーフロート式ドレントラップの断面図である。
【発明を実施するための形態】
【０００９】
以下、本発明の実施の形態について、図1を参照して説明する。レバーフロート式ドレントラップは、入口１と出口２を有する本体３に蓋体４をボルト５で締結して内部に弁室６を有するケーシングを構成する。弁室６と出口２を連通する弁座部材７を弁室６の下部の本体３に図示しないねじにより取り付ける。弁座部材７は一軸上に設けられた一対の第１及び第２弁座８，９と、第１及び第２弁座８，９の間の出口側空間１０を出口２に連通するために出口２に向けて一方向のみに開口した出口開口１１とを有する。入口１は弁室６の下部に開口し、出口２は出口開口１１と第１及び第２弁座８，９を通して弁室６の下部に開口する。
【００１０】
弁室６内の弁座部材７に揺動軸１２を支持し、揺動軸１２にレバー１３の右側部を回転可能に連結する。レバー１３の左端部に弁室６内の液位に応じて浮上降下する中空球形のフロート１４を連結する。レバー１３の右端部に揺動軸１２と平行な連結軸１５を支持し、連結軸１５に連結棒１６の上部を回転可能に連結する。連結棒１６の下部はプラグ部材１７の弁棒１８の上端部に支持された揺動軸１０と平行な弁軸１９に回転可能に連結する。
【００１１】
プラグ部材１７は第１弁座８を下方の出口側空間１０側から開閉する第１プラグ２０と、第２弁座９を下方の弁室６側から開閉する第２プラグ２１と、第１プラグ２０と第２プラグ２１を連結する弁棒１８とから構成する。一対の第１及び第２プラグ２０，２１は第１及び第２弁座８，９の軸上を移動して第１及び第２弁座８，９を同時に開閉する。第１及び第２弁座８，９の間の出口側空間１０と出口開口１１とを隔てる隔壁筒２２を設け、隔壁筒２２の上部に総開口面積が第１弁座８の開口面積と同等となる連通孔２３を出口開口１１と直角方向の両側に紙面では手前側と向こう側に形成し、隔壁筒２２の下部に総開口面積が第２弁座９の開口面積と同等となる連通孔２４を出口開口１１と直角方向の両側に紙面では手前側と向こう側に形成する。
【００１２】
上記のレバーフロート式ドレントラップの動作は次の通りである。弁室６内の液位が低い場合は、図１に示すようにフロート１４は降下し、第１及び第２プラグ２０，２１が第１及び第２弁座８，９を閉じている。入口１から流入するドレンによって弁室６内の液位が上昇すると、フロート１４が上動してレバー１３が揺動軸１２を中心に時計回り方向に回転する。このレバー１３の回転により、連結棒１６を介してプラグ部材１７が下動して第１及び第２プラグ２０，２１が第１及び第２弁座８，９を開く。これにより、弁室６のドレンを第１及び第２弁座８，９から出口側空間１０、連通孔２３，２４、出口開口１１を通して出口２へ排出する。第１及び第２弁座８，９の間から出口２へ向かう流体は隔壁筒２２内で第１プラグ２０に均等に作用しながら連通孔２３，２４を通して出口開口１１から出口２へ流下するので、第１プラグ２０が傾斜することを防止できる。
【００１３】
ドレンの排出により弁室６内の液位が低下すると、フロート１４が下動してレバー１３が揺動軸１２を中心に反時計回り方向に回転する。このレバー１３の回転により、連結棒１６を介してプラグ部材１７上動して第１及び第２プラグ２０，２１が第１及び第２弁座８，９を閉じる。これにより、気体の漏出を防止する。
【産業上の利用可能性】
【００１４】
本発明は、一軸上に設けられた一対の第１及び第２弁座を該軸上を移動する一対の第１及び第２プラグによって開閉する複座弁を適用したあらゆる種類の流体制御機器に利用することができる。
【符号の説明】
【００１５】
１  入口
２  出口
３  本体
４  蓋体
６  弁室
７  弁座部材
８  第１弁座
９  第２弁座
１０  出口側空間
１１  出口開口
１２  揺動軸
１３  レバー
１４  フロート
１７  プラグ部材
２０  第１プラグ
２１  第２プラグ
２２  隔壁筒
２３  連通孔
２４  連通孔
【図１】
0005701072.tif 000002